(57)【要約】【課題】  損傷され難い安価な構造の紐体連結枠を有し外観上の体裁を良好にすること。【解決手段】  液晶モジュ−ル１がフロントキャビネット２Ａとリアキャビネット２Ｂとからなる合成樹脂製キャビネット２に内蔵され、該キャビネット２の下面にスタンド３が固定された薄型表示装置において、前記リアキャビネット２Ｂの背面下端部中央を窪ませて凹部１２が形成され、該凹部１２の底壁部１２ａに紐体連結枠１４が一体突設されると共に、その紐体連結枠１４の内周面に形成した挿通孔１４ａに連通する上下２つの型抜き孔１５が凹部１２の底壁部１２ａに貫設され、前記キャビネット２内の下部に配置されて液晶モジュ−ル１とスタンド３とを連結する連結金具１７により前記型抜き孔１５が塞がれている。【選択図】        図１
2011053317.tif 000002
【特許請求の範囲】
【請求項１】
薄型表示部がフロントキャビネットとリアキャビネットとからなる合成樹脂製キャビネ
ットに内蔵され、該キャビネットの下面にスタンドが固定された薄型表示装置において、
前記リアキャビネットの背面下端部中央を窪ませて凹部が形成され、該凹部の底壁部に紐
体連結枠が一体突設されると共に、その紐体連結枠の内周面に形成した挿通孔に連通する
上下２つの型抜き孔が凹部の底壁部に貫設され、前記キャビネット内の下部に配置されて
薄型表示部とスタンドとを連結する連結金具により前記型抜き孔が塞がれていることを特
徴とする薄型表示装置。
【請求項２】
前記凹部の底壁部に一体突設され先端部を互いに接近させた一対のＬ字片からなるケー
ブルマネージメント部が設けられ、前記各Ｌ字片に前記紐体連結枠がそれぞれ一体形成さ
れ、その両Ｌ字片間の型抜き孔が前記連結金具で塞がれていることを特徴とする請求項１
に記載の薄型表示装置。
【発明の詳細な説明】
【技術分野】
【０００１】
本発明は、例えば液晶テレビなどの薄型表示装置に関し、特に、損傷され難い安価な構
造の紐体連結枠を有し外観上の体裁を良好したものである。
【背景技術】
【０００２】
従来、薄型表示装置の一例として特許文献１に記載したものがあり、これは例えば液晶
テレビであって、図６の斜視図に示すように、液晶モジュ−ル（薄型表示部）１がフロン
トキャビネット２Ａとリアキャビネット２Ｂとからなる合成樹脂製キャビネット２に内蔵
され、該キャビネット２の下面にスタンド３が固定されている。
【０００３】
前記リアキャビネット１Ｂの裏面に紐体連結枠５がビス６により止着され、該紐体連結
枠５に一端部を連結したワイヤロープなどの紐体８の他端部を載置台４上の連結具７に連
結しており、地震による強い揺れなどでキャビネット２が倒れないようにしている。
【先行技術文献】
【特許文献】
【０００４】
【特許文献１】特開２００８−２２８２６０号公報
【発明の概要】
【発明が解決しようとする課題】
【０００５】
上記従来の構成では、紐体８をリアキャビネット２Ｂに連結するために、該リアキャビ
ネット２Ｂに紐体連結枠５をビス６で止着しており、これでは、その紐体連結枠５及びビ
ス６により部品点数が増加すると共に、その止着作業にも時間と手間とがかかって面倒で
あり、コストアップになる。
【０００６】
そこで、図６に仮想線で示すように、リアキャビネット２Ｂの裏面に横断面略Ｕ字状の
紐体連結枠９を一体形成し、該紐体連結枠９の上下に形成した型抜き孔１０を通ってその
紐体連結枠９の内周面に形成した挿通孔に紐体８を挿通することが考えられるが、これで
は、紐体連結枠９がリアキャビネット２Ｂの背面より後方に突出されているため、例えば
搬送時にリアキャビネット２Ｂの背面にかかる衝撃でその紐体連結枠９が損傷されるおそ
れがある。
【０００７】
また、リアキャビネット２Ｂの裏面に比較的大きな型抜き孔１０が露出されているため
、外観上の体裁が悪くなると共に、その型抜き孔１０を通って塵埃がキャビネット２内に
侵入して故障の原因になるおそれもある。
【０００８】
前記型抜き孔１０を発生させない金型技術として、リアキャビネット２Ｂを成形する雄
雌両成形金型のうちの一方にスライド式金型部品を取り付け、そのスライド式金型部品で
型抜き孔１０の無いリアキャビネット２Ｂを成形することも考えられるが、これでは、金
型代が極めて高くなる。
【０００９】
本発明は、上記従来の欠点に鑑み、損傷され難い安価な構造の紐体連結枠を有し外観上
の体裁が良好な薄型表示装置を提供することを目的としている。
【課題を解決するための手段】
【００１０】
上記目的を達成するため、請求項１に記載の発明は、薄型表示部がフロントキャビネッ
トとリアキャビネットとからなる合成樹脂製キャビネットに内蔵され、該キャビネットの
下面にスタンドが固定された薄型表示装置において、前記リアキャビネットの背面下端部
中央を窪ませて凹部が形成され、該凹部の底壁部に紐体連結枠が一体突設されると共に、
その紐体連結枠の内周面に形成した挿通孔に連通する上下２つの型抜き孔が凹部の底壁部
に貫設され、前記キャビネット内の下部に配置されて薄型表示部とスタンドとを連結する
連結金具により前記型抜き孔が塞がれていることを特徴としている。
【００１１】
請求項２に記載の発明は、請求項１に記載の発明において、前記凹部の底壁部に一体突
設され先端部を互いに接近させた一対のＬ字片からなるケーブルマネージメント部が設け
られ、前記各Ｌ字片に前記紐体連結枠がそれぞれ一体形成され、その両Ｌ字片間の型抜き
孔が前記連結金具で塞がれていることを特徴としている。
【発明の効果】
【００１２】
請求項１に記載の発明によれば、紐体連結枠に転倒防止用紐体を連結することにより、
地震による強い揺れなどでキャビネットが倒れないようにすることができ、その紐体連結
枠がリアキャビネットに一体形成されているので、部品点数が増加せず、コストダウンを
図ることができる。
【００１３】
また、紐体連結枠がリアキャビネットの凹部内に配置されているので、例えば搬送時に
衝撃がリアキャビネットの背面にかかったとしても、その衝撃で紐体連結枠が損傷される
のを防ぐことができる。
【００１４】
更に、スライド式金型部品を取り付けていない通常の雄雌両成形金型でリアキャビネッ
トを成形することにより金型代を安くすることができ、この成形法では、凹部の底壁部に
型抜き孔が貫設されるが、その型抜き孔を連結金具で塞いでいるので、外観上の体裁を良
好に維持することができると共に、その型抜き孔を通って塵埃がキャビネット内に侵入す
るのを防いで故障の原因を取り除くことができる。
【００１５】
請求項２に記載の発明によれば、ケーブルをケーブルマネージメント部で効率よくまと
めることができると共に、該ケーブルマネージメント部の各Ｌ字片と紐体連結枠とが一体
形成されているので、その両者を互いに独立して形成する場合に比べて、構造が簡単にな
り、金型代を安くすることができる。
【図面の簡単な説明】
【００１６】
【図１】本発明の実施の一形態である薄型表示装置の一部切欠き側面図である。
【図２】同一部切欠き背面図である。
【図３】図２のＡ−Ａ矢視図である。
【図４】同リアキャビネットの要部の斜視図である。
【図５】同リアキャビネットの縦断面図である。
【図６】従来例を示す斜視図である。
【発明を実施するための形態】
【００１７】
図１〜図５は本発明の実施の一形態である薄型表示装置を示すものであり、これは液晶
テレビであって、リアキャビネット２Ｂの背面下端部中央を窪ませて凹部１２が形成され
、該凹部１２の底壁部１２ａに一体突設され先端部を互いに接近させた一対のＬ字片１３
ａからなるケーブルマネージメント部１３が設けられ、前記底壁部１２ａから各Ｌ字片１
３ａにかけて一対の横断面略Ｌ字状の紐体連結枠１４が一体突設され、該各紐体連結枠１
４の内周面に形成した挿通孔１４ａに連通する上下２つの型抜き孔１５とそれに連通する
両Ｌ字片１３ａ間の型抜き孔１５とが凹部１２の底壁部１２ａに貫設され、液晶モジュ−
ル（薄型表示部）１とスタンド３とが連結金具１７で連結されている。上記以外の構成で
図６に示す構成と同じ部分に同じ符号を付してその説明を省略する。
【００１８】
図１〜図３に示すように、前記連結金具１７は、鋼板からなり、リアキャビネット２Ｂ
内の下部に配置される底板部１７ａと、該底板部１７ａの奥端縁から起立する奥板部１７
ｂと、該奥板部１７ｂの両側縁から前方に直角に折れ曲がって互いに平行する一対の側板
部１７ｃと、該各側板部１７ｃの前端縁から互いに逆方向に直角に折れ曲がる一対の端板
部１７ｄとを有している。
【００１９】
図１に示すように、スタンド３内の鋼板製芯材３ａ及びリアキャビネット２Ｂの底部を
貫通して底板部１７ａのねじ孔にビス１８をねじ込むことにより、スタンド３が連結金具
１７に連結されている。
【００２０】
図１に示すように、前記型抜き孔１５の内周縁から前方の延びる縁枠１９が奥板部１７
ｂに当接されることにより、該型抜き孔１５が奥板部１７ｂにより塞がれている。
【００２１】
図１に示すように、前記凹部１２の底壁部１２ａに所定間隔をおいて一体突設した上下
左右４つのボス部２０が各端板部１７ｄに当接され、上側２つのボス部２０の奥端部及び
各端板部１７ｄを貫通して液晶モジュ−ル１のベゼル１ａのねじ孔にビス１８をねじ込む
ことにより、液晶モジュ−ル１が連結金具１７に連結され、下側２つの各ボス部２０の奥
端部及び各端板部１７ｄを貫通してフロントキャビネット２Ａのボス部２１にビス１８を
ねじ込むことにより、リアキャビネット２Ｂがフロントキャビネット２Ａに連結されてい
る。
【００２２】
上記構成によれば、図１に示すように、紐体連結枠１４に転倒防止用紐体８を連結する
ことにより、地震による強い揺れなどでキャビネット２が倒れないようにすることができ
、その紐体連結枠１４がリアキャビネット２Ｂに一体形成されているので、部品点数が増
加せず、コストダウンを図ることができる。
【００２３】
また、ケーブルマネージメント部１３及び紐体連結枠１４が凹部１２内に配置されてい
るので、例えば搬送時に衝撃がリアキャビネット２Ｂの背面にかかったとしても、その衝
撃でケーブルマネージメント部１３及び紐体連結枠１４が損傷されるのを防ぐことができ
る。
【００２４】
更に、図５に矢印Ｂ，Ｃで示すように、雄雌両成形金型を前後から嵌合させてリアキャ
ビネット２Ｂを成形する場合に、その矢印Ｃで示す後側成形金型にスライド式金型部品を
取り付けないことにより、金型代を安くすることができ、この成形法では、凹部１２の底
壁部１２ａに型抜き孔１５が貫設されるが、その型抜き孔１５を連結金具１７の奥板部１
７ｂで塞いでいるので、外観上の体裁を良好に維持することができると共に、その型抜き
孔１５を通って塵埃がキャビネット２内に侵入するのを防いで故障の原因を取り除くこと
ができる。
【００２５】
しかも、ケーブル（図示せず）をケーブルマネージメント部１３で効率よくまとめるこ
とができると共に、該ケーブルマネージメント部１３の各Ｌ字片１３ａと紐体連結枠１４
とが一体形成されているので、その両者を互いに独立して形成する場合に比べて、構造が
簡単になり、金型代を安くすることができる。
【符号の説明】
【００２６】
１          液晶モジュ−ル（薄型表示部）
２          キャビネット
２Ａ        フロントキャビネット
２Ｂ        リアキャビネット
３          スタンド
１２        凹部
１２ａ      凹部の底壁部
１３        ケーブルマネージメント部
１３ａ      ケーブルマネージメント部のＬ字片
１４        紐体連結枠
１４ａ      紐体連結枠の挿通孔
１５        型抜き孔
１７        連結金具
【図１】
2011053317.tif 000003
【図２】
2011053317.tif 000004
【図３】
2011053317.tif 000005
【図４】
2011053317.tif 000006
【図５】
2011053317.tif 000007
【図６】
2011053317.tif 000008